(57)【要約】      （修正有）【課題】位置決め用のブラケットがバンパから脱落した場合であっても、アクチュエータの作動を阻害することのない車両用クリーナを提供する。【解決手段】車両用クリーナ１は、バンパ１００の開口部１０１内に設けられる第１ブラケット２と、第１ブラケット２に支持されるシリンダと、シリンダに進退自在に支持されるピストンとを有するアクチュエータ３と、ピストンの先端近傍に設けられピストンが開口部１０１から突出された状態で被洗浄物へ洗浄液を噴射するノズルと、ピストンの先端に設けられピストンがシリンダ内に引込まれた状態で開口部１０１を塞ぐカバー６と、アクチュエータ３を開口部１０１に対し位置決めする第２ブラケット５とを備え、第１ブラケット２は、ピストンの進退方向に対して回転対称に配置された第１取付部２２ａと第２取付部２２ｂとを有し、第１取付部２２ａと第２取付部２２ｂとによりバンパ１００に取付け可能である。【選択図】図２
2019156210.tif 000002
【特許請求の範囲】
【請求項１】
車両の車体パネルの一部に形成された開口部内に設けられる筒状の第１ブラケットと、
前記第１ブラケットに支持されるシリンダと、前記シリンダに対して進退自在に支持されるピストンとを有するアクチュエータと、
前記ピストンの先端近傍に設けられて前記ピストンが前記開口部から突出された状態で前記車両の被洗浄物へ洗浄液を噴射する噴射ノズルと、
前記ピストンの先端に設けられて前記ピストンが前記シリンダ内に引き込まれた状態で前記開口部を塞ぐカバーと、
前記車体パネルに取り付け可能であって、前記第１ブラケットと係合された状態で前記アクチュエータを前記開口部に対して位置決めする第２ブラケットと、
を備え、
前記第１ブラケットは、前記ピストンの進退方向に対して互いに回転対称の位置に配置された第１取付部と第２取付部とを有し、前記第１取付部と前記第２取付部とにより前記車体パネルに取り付け可能である、車両用クリーナ。
【請求項２】
前記第１ブラケットは、前記第２ブラケットに対して前記アクチュエータを位置決めするための第１位置決め部を有し、
前記第２ブラケットは、前記第１位置決め部の形状に応じた形状を備えた第２位置決め部を有している、請求項１に記載の車両用クリーナ。
【請求項３】
前記第１ブラケットは、前記第１位置決め部としての第１矩形枠体を有し、
前記第２ブラケットは、前記第１矩形枠体の形状に応じた形状を備えた前記第２位置決め部としての第２矩形枠体を有している、請求項２に記載の車両用クリーナ。
【請求項４】
前記第１ブラケットは、前記ピストンの進退方向に沿って延びる前記第１位置決め部としてのガイド凸部を有し、
前記第２ブラケットは、前記進退方向に沿って延び前記ガイド凸部が挿通可能な、前記第２位置決め部としてのガイド溝を有している、請求項２または３に記載の車両用クリーナ。
【請求項５】
前記第２ブラケットは、前記ピストンの進退方向に沿って前記第１ブラケットが前記第２ブラケットに係合される際に、前記第１ブラケットが突き当てられる突き当て面を有している、請求項１から４のいずれか一項に記載の車両用クリーナ。
【発明の詳細な説明】
【技術分野】
【０００１】
本発明は、車両用クリーナに関する。
【背景技術】
【０００２】
車両用のヘッドランプクリーナが特許文献１などに知られている。
【先行技術文献】
【特許文献】
【０００３】
【特許文献１】特開２０１５−１５１０８９号公報
【発明の概要】
【発明が解決しようとする課題】
【０００４】
特許文献１のヘッドランプクリーナは、筒状のシリンダと、シリンダに摺動自在に支持されたピストンと、ピストンの先端に設けられた噴射ノズルおよびノズルカバーと、ピストンを車両のバンパに対して位置決めするためのブラケットと、を有している。このヘッドランプクリーナにおいて、ブラケットがバンパから脱落した場合に、当該ブラケットがピストンの円滑な作動を阻害する可能性がある。
【０００５】
本発明は、アクチュエータを位置決めするためのブラケットが車体パネルから脱落した場合であっても、アクチュエータの作動を阻害することのない車両用クリーナを提供することを目的とする。
【課題を解決するための手段】
【０００６】
上記目的を達成するために、本発明の車両用クリーナは、
車両の車体パネルの一部に形成された開口部内に設けられる筒状の第１ブラケットと、
前記第１ブラケットに支持されるシリンダと、前記シリンダに対して進退自在に支持されるピストンとを有するアクチュエータと、
前記ピストンの先端近傍に設けられて前記ピストンが前記開口部から突出された状態で前記車両の被洗浄物へ洗浄液を噴射する噴射ノズルと、
前記ピストンの先端に設けられて前記ピストンが前記シリンダ内に引き込まれた状態で前記開口部を塞ぐカバーと、
前記車体パネルに取り付け可能であって、前記第１ブラケットと係合された状態で前記アクチュエータを前記開口部に対して位置決めする第２ブラケットと、
を備え、
前記第１ブラケットは、前記ピストンの進退方向に対して互いに回転対称の位置に配置された第１取付部と第２取付部とを有し、前記第１取付部と前記第２取付部とにより前記車体パネルに取り付け可能である。
【０００７】
本開示によれば、アクチュエータを位置決めするためのブラケット（第２ブラケット）が車体パネルから脱落した場合であっても、アクチュエータの作動を阻害することのない車両用クリーナを提供することができる。
【０００８】
また、本発明の車両用クリーナにおいて、
前記第１ブラケットは、前記第２ブラケットに対して前記アクチュエータを位置決めするための第１位置決め部を有し、
前記第２ブラケットは、前記第１位置決め部の形状に応じた形状を備えた第２位置決め部を有していてもよい。
【０００９】
この構成によれば、第１位置決め部と第２位置決め部とを係合させることで、アクチュエータを車体パネルの開口部に対して容易に位置決めすることができる。
【００１０】
また、本発明の車両用クリーナにおいて、
前記第１ブラケットは、前記第１位置決め部としての第１矩形枠体を有し、
前記第２ブラケットは、前記第１矩形枠体の形状に応じた形状を備えた前記第２位置決め部としての第２矩形枠体を有していてもよい。
【００１１】
第１位置決め部および第２位置決め部としてこれらの構成を備えていることが好ましい。
【００１２】
また、本発明の車両用クリーナにおいて、
前記第１ブラケットは、前記アクチュエータの進退方向に沿って延びる前記第１位置決め部としてのガイド凸部を有し、
前記第２ブラケットは、前記進退方向に沿って延び前記ガイド凸部が挿通可能な、前記第２位置決め部としてのガイド溝を有していてもよい。
【００１３】
第１位置決め部および第２位置決め部としてこれらの構成を備えていることが好ましい。
【００１４】
また、本発明の車両用クリーナにおいて、
前記第２ブラケットは、前記アクチュエータの進退方向に沿って前記第１ブラケットが前記第２ブラケットに係合される際に、前記第１ブラケットが突き当てられる突き当て面を有していてもよい。
【００１５】
この構成によれば、アクチュエータの進退方向におけるアクチュエータの位置を、例えばアクチュエータの先端に固定されるカバーが車体パネルに対して面一となるような位置に容易に位置決めることができる。
【発明の効果】
【００１６】
本発明によれば、アクチュエータを位置決めするためのブラケットが車体パネルから脱落した場合であっても、アクチュエータの作動を阻害することのない車両用クリーナを提供することができる。
【図面の簡単な説明】
【００１７】
【図１】本発明の実施形態に係る車両用クリーナの斜視図である。
【図２】車両用クリーナの分解斜視図である。
【図３】車両用クリーナの第１ブラケットの正面図である。
【図４】第１ブラケットの底面図である。
【図５】車両用クリーナの縦断面図である。
【図６】車両用クリーナの横断面図である。
【図７】車両用クリーナの噴射ノズルのポップアップ状態を示す横断面図である。
【発明を実施するための形態】
【００１８】
本発明の実施形態に係る車両用クリーナの一例について、図面を参照して説明する。なお、本例における「左右方向」、「前後方向」、「上下方向」とは、図に示す車両用クリーナについて、説明の便宜上、設定された相対的な方向である。
【００１９】
図１は、車両のバンパ１００（車体パネルの一例）に取り付けられた車両用クリーナ１（以下、クリーナ１と称す）を左上後方から観察した斜視図である。図２は、図１に示すクリーナ１の分解斜視図である。クリーナ１は、車両に搭載される灯具（例えば、ヘッドランプ）に洗浄液を噴き付けて、灯具に付着した汚れや雪を除去して灯具を洗浄するためのクリーナである。
【００２０】
図１および図２に示すように、クリーナ１は、第１ブラケット２と、第１ブラケット２に支持されるアクチュエータ３と、第１ブラケット２に係合される第２ブラケット５と、アクチュエータ３の先端に設けられるノズルカバー６（カバーの一例）と、を備えている。なお、車両の灯具１１０（被洗浄物の一例）は、クリーナ１の上方に配置されている（図５参照）。
【００２１】
第１ブラケット２は、車両のバンパ１００の一部に形成された例えば矩形状の開口部１０１内に設けられる筒状のブラケットである。第１ブラケット２は、第１矩形枠体２１（第１位置決め部の一例）と、第１矩形枠体２１の後部から左右に延びる第１取付部２２ａおよび第２取付部２２ｂと、第１矩形枠体２１から後方へ延びる円筒枠体２３と、を有している。
【００２２】
アクチュエータ３は、第１ブラケット２の第１矩形枠体２１内および円筒枠体２３に挿通されて、第１ブラケット２に固定されている。アクチュエータ３が有するピストン３２（図５参照）は、アクチュエータ３の中心軸Ｌに沿って前後方向へ進退可能である。
【００２３】
第２ブラケット５は、第１ブラケット２とバンパ１００との間に配置されるブラケットである。第２ブラケット５は、第２矩形枠体５１（第２位置決め部の一例）と、第２矩形枠体５１の前側に取り付けられている前板部５２と、を有している。
【００２４】
前板部５２には、バンパ１００の開口部１０１に対応する形状、例えば矩形状で、開口部１０１よりもひと回り小さな大きさの開口部５３が形成されている。
【００２５】
第２矩形枠体５１は、天板と底板と左右側板とで形成され、前後方向が開放された構造の矩形枠体である。第２矩形枠体５１の前後方向に開放する開口の大きさは、第１ブラケット２の第１矩形枠体２１が第２矩形枠体５１内に挿入することが可能な大きさに形成されている。また、第２矩形枠体５１のこの開口の大きさは、前板部５２の開口部５３よりも僅かに大きく形成されている。
【００２６】
前板部５２は、開口部５３の縁部が第２矩形枠体５１の前側開口の周辺部を僅かずつ塞いだ状態で第２矩形枠体５１の前側に取り付けられている。このため、第２矩形枠体５１の後側開口から第２矩形枠体５１内を観察したとき、前板部５２の開口部５３における縁部背面５５（突き当て面の一例）が第２矩形枠体５１の内側に向かって僅かずつ張り出した構成になっている。
【００２７】
前板部５２は、バンパ１００の開口部１０１の周辺部を塞いだ状態でバンパ１００の背面に固定されている。前板部５２は、例えば、前板部５２の前面に取り付けた両面テープ５４等の接着剤でバンパ１００の背面に固定されている。また、前板部５２の前面には、バンパ１００の開口部１０１に対する第２ブラケット５の位置を決めるための突起部５７が設けられている（図５から図７参照）。突起部５７は、開口部１０１の形状に対応して矩形の枠状に形成されている。
【００２８】
第２矩形枠体５１の左右側板には、アクチュエータ３の進退方向である中心軸Ｌに沿って前後方向に延びるガイド溝５６（第２位置決め部の一例）が形成されている。ガイド溝５６には、第１ブラケット２の第１矩形枠体２１に形成されているガイド凸部２４（図３で後述する）が挿通可能である。
【００２９】
ノズルカバー６は、アクチュエータ３の先端に取り付けられている。ノズルカバー６は、バンパ１００の開口部１０１を塞ぐことが可能なカバーである。
【００３０】
また、バンパ１００には、第１ブラケット２を取り付けるためのフランジ１０２が設けられている。フランジ１０２は、例えば、車体パネルを構成する一部品として用いられる。第１ブラケット２は、第１取付部２２ａと第２取付部２２ｂとがフランジ１０２に、例えば、ネジ２７によりネジ止めされることによって取り付けられている。これにより、第１ブラケット２は、フランジ１０２を介して、バンパ１００に固定される。
【００３１】
図３は、第１ブラケット２の正面図である。また、図４は、第１ブラケット２の底面図である。
図３および図４に示すように、第１ブラケット２の第１矩形枠体２１は、天板と底板と左右側板とで形成される矩形枠体であり、第１矩形枠体２１の前方向は、開放されている。第１矩形枠体２１内には、アクチュエータ３の先端近傍に設けられた噴射ノズル４１が収容されている。噴射ノズル４１は、車両の灯具１１０に向けて洗浄液を噴射可能なノズルである。
【００３２】
第１矩形枠体２１の左右側板には、アクチュエータ３の進退方向である中心軸Ｌに沿って前後方向に延びるガイド凸部２４（第１位置決め部の一例）が設けられている。ガイド凸部２４は、例えば、側板から垂直に立ち上がる軸部２４ａと、軸部２４ａの先端部から軸部２４ａ方向に対して垂直に延びる押え部２４ｂとで構成されている。第１ブラケット２と第２ブラケット５とは、第１矩形枠体２１が第２矩形枠体５１内に挿入されるとともに、第１矩形枠体２１のガイド凸部２４における軸部２４ａが第２矩形枠体５１のガイド溝５６に挿通されることで係合される。
【００３３】
第１取付部２２ａと第２取付部２２ｂには、ネジ孔２５ａと２５ｂがそれぞれ設けられている。ネジ孔２５ａ，２５ｂには、フランジ１０２との取り付けのために用いられるネジ２７が挿通される。第１取付部２２ａと第２取付部２２ｂとは、アクチュエータ３の進退方向である中心軸Ｌに対して互いに回転対称の位置に配置されている。本例では、第１取付部２２ａと第２取付部２２ｂは、フランジ１０２に固定するために左右方向へ延びる平板状に形成されている。
【００３４】
なお、第１取付部２２ａおよび第２取付部２２ｂの形状は、平板状には限定されない。また、第１取付部２２ａと第２取付部２２ｂは、フランジ１０２を介さずにバンパ１００に固定できるように構成されていてもよい。その場合、第１取付部２２ａと第２取付部２２ｂは、例えば、バンパ１００に固定するためにバンパ１００の形状に合わせた所定の形状に形成されてもよい。
【００３５】
円筒枠体２３は、アクチュエータ３の設置方向を決める枠体であり、円筒枠体２３内にはアクチュエータ３が挿通されている。
【００３６】
図５は、クリーナ１の中心軸Ｌを通って縦方向に切断した縦断面図である。図６は、クリーナ１の中心軸Ｌを通って横方向に切断した横断面図である。図７は、図６におけるクリーナ１の噴射ノズル４１を突出させた状態を示す図である。
図５から図７に示すように、クリーナ１のアクチュエータ３は、筒状に形成されたシリンダ３１と、シリンダ３１の内部に摺動自在に支持されるピストン３２と、を有している。ピストン３２は、シリンダ３１に対し、アクチュエータ３の中心軸Ｌに沿って前後方向に進退動作可能である。
【００３７】
ピストン３２の先端には、ノズルカバー６が取り付けられている。ノズルカバー６は、ピストン３２がシリンダ３１内に引き込まれた状態でバンパ１００の開口部１０１を塞ぐように構成されている（図５，図６参照）。すなわち、ノズルカバー６は、ピストン３２がシリンダ３１内に引き込まれた状態でバンパ１００と面一となる位置に配置される。
【００３８】
また、ピストン３２の先端近傍であって上記ノズルカバー６の後側には、噴射ノズル４１が設けられている。本例では、ピストン３２の先端部における左右に一対の噴射ノズル４１が設けられている（図６，図７参照）。これらの噴射ノズル４１は、それぞれ噴射口を有しており、ピストン３２がバンパ１００の開口部１０１から突出された状態で、噴射口から水や洗剤などの洗浄液を灯具１１０へ向けて噴射させる（図７参照）。
【００３９】
上記の構成のクリーナ１の組立方法は以下の通りである。まず、第２ブラケット５を、バンパ１００の開口部１０１に突起部５７を合わせるようにして、前板部５２の前面に取り付けた両面テープ５４でバンパ１００の背面に固定する。次に、開口部１０１に位置決め固定された第２ブラケット５の第２矩形枠体５１内に第１矩形枠体２１を挿入するとともに、第２矩形枠体５１のガイド溝５６に第１矩形枠体２１のガイド凸部２４を挿通する。これにより、第１ブラケット２が第２ブラケット５に係合される。また、第１矩形枠体２１が第２矩形枠体５１内に挿入されることで、第１矩形枠体２１を構成する天板、底板および左右側板の各前面が、第２矩形枠体５１の内側に張り出している前板部５２の開口部５３における縁部背面５５に突き当てられる。そして、第１ブラケット２の第１取付部２２ａと第２取付部２２ｂをフランジ１０２にネジ止めすることで、フランジ１０２を介して第１ブラケット２をバンパ１００に固定する。このようにして組立てられたクリーナ１においては、第１ブラケット２のガイド凸部２４が第２ブラケット５のガイド溝５６に挿通された状態で、第１ブラケット２がフランジ１０２を介してバンパ１００に固定されることで、第２ブラケット５は、バンパ１００と第１ブラケット２との間で保持される。
【００４０】
なお、本例では、クリーナ１を、灯具１１０（例えば、ヘッドランプ）を洗浄するクリーナとして説明したが、これに限定されない。例えば、クリーナ１は、車載センサ、車載カメラ等のクリーナとして適応することも可能である。
【００４１】
以上説明したように、本実施形態に係るクリーナ１は、バンパ１００に形成された開口部１０１内に設けられる筒状の第１ブラケット２と、第１ブラケット２に支持されるシリンダ３１と、シリンダ３１に対して進退自在に支持されるピストン３２とを有するアクチュエータ３と、ピストン３２の先端近傍に設けられてピストン３２が開口部１０１から突出された状態で灯具１１０（被洗浄物の一例）へ洗浄液を噴射する噴射ノズル４１と、ピストン３２の先端に設けられてピストン３２がシリンダ３１内に引き込まれた状態で開口部１０１を塞ぐノズルカバー６と、バンパ１００に取り付け可能であって第１ブラケット２と係合された状態でアクチュエータ３を開口部１０１に対して位置決めする第２ブラケット５と、を備えている。そして、第１ブラケット２は、ピストン３２の進退方向（アクチュエータ３の中心軸Ｌ）に対して互いに回転対称の位置に配置された第１取付部２２ａと第２取付部２２ｂと、を有し、第１取付部２２ａと第２取付部２２ｂによりバンパ１００に取り付け可能である。この構成によれば、第１ブラケット２の第１取付部２２ａと第２取付部２２ｂとがピストン３２の進退方向に対して互いに回転対称の位置に配置されているため、アクチュエータ３を第１取付部２２ａと第２取付部２２ｂとでバンパ１００に対して確実に固定することができる。また、アクチュエータ３の開口部１０１への位置決めのために用いられる第２ブラケット５が、アクチュエータ３をバンパ１００へ固定するための第１ブラケット２とは独立して設けられている。すなわち、第２ブラケット５は、アクチュエータ３をバンパ１００に固定するための機能を担うものではない。そのため、例えば、第２ブラケット５の前板部５２の両面テープ５４が剥がれて第２ブラケット５がバンパ１００から脱落した場合であっても、第１ブラケット２の第１取付部２２ａと第２取付部２２ｂとによりアクチュエータ３を確実に固定しているため、脱落した第２ブラケット５がアクチュエータ３の作動を阻害することを防止することができる。
【００４２】
また、本実施形態のクリーナ１によれば、例えば、シリンダ３１内部に摺動自在に支持されているピストン３２を適正な向きに支持することができるので、アクチュエータ３をスムーズに進退動作させることができる。
【００４３】
また、本実施形態のクリーナ１によれば、第２ブラケット５の前板部５２に設けられた矩形枠状の突起部５７をバンパ１００の開口部１０１の内側に入り込ませ、開口部１０１の内周面に突起部５７の外周面が接するように第２ブラケット５が取り付けられる。これにより、バンパ１００に対して第２ブラケット５を正確に位置決めすることができる。
【００４４】
また、本実施形態のクリーナ１によれば、第２ブラケット５の第２矩形枠体５１内に第１矩形枠体２１を挿入するとともに、第２矩形枠体５１のガイド溝５６に第１矩形枠体２１のガイド凸部２４を挿通することで、第１ブラケット２が第２ブラケット５に係合される。これにより、位置決め固定された第２ブラケット５に対して、第１ブラケット２を正確に位置決めすることができる。そして、第１ブラケット２に固定されているアクチュエータ３をバンパ１００の開口部１０１に対して適正な位置に取り付けることができる。
【００４５】
また、第１矩形枠体２１を構成する天板、底板および左右側板の各前面が、第２矩形枠体５１の内側に張り出している前板部５２の開口部５３における縁部背面５５に突き当てられることで、ピストン３２の先端に取り付けられているノズルカバー６をバンパ１００に対して正確に位置決めすることができる。具体的には、ピストン３２がシリンダ３１内に引き込まれた状態で、ノズルカバー６をバンパ１００に対して面一となるようにして、バンパ１００の開口部１０１を塞ぐことができる。
【００４６】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００４７】
１：クリーナ、２：第１ブラケット、３：アクチュエータ、５：第２ブラケット、６：ノズルカバー（カバーの一例）、２１：第１矩形枠体（第１位置決め部の一例）、２２ａ：第１取付部、２２ｂ：第２取付部、２３：円筒枠体、２４：ガイド凸部（第１位置決め部の一例）、３１：シリンダ、３２：ピストン、４１：噴射ノズル、５１：第２矩形枠体（第２位置決め部の一例）、５２：前板部、５３：開口部、５４：両面テープ、５５：縁部背面（突き当て面の一例）、５６：ガイド溝（第２位置決め部の一例）、５７：突起部、１００：バンパ（車体パネルの一例）、１０１：開口部、１１０：灯具（被洗浄物の一例）
【図１】
2019156210.tif 000003
【図２】
2019156210.tif 000004
【図３】
2019156210.tif 000005
【図４】
2019156210.tif 000006
【図５】
2019156210.tif 000007
【図６】
2019156210.tif 000008
【図７】
2019156210.tif 000009